(57)【要約】【課題】  見栄えよくクロス材を枠体に張設できるパネル装置を提供すること。【解決手段】  四角形状をなす枠体１２と、この枠体１２内に張設された四角形状をなすクロス材１３と、からなるパネル装置９であって、枠体１２における互いに対向する少なくとも一対の枠部材１１の後面側に、クロス材１３における少なくとも一対の端辺部１７に設けられた支持杆１８を嵌合するための溝部１６が形成されるとともに、この溝部１６を塞ぐための塞ぎ材１５を、溝部１６内に嵌合された支持杆１８を溝部１６内に保持した状態で固着させる。【選択図】  図３
2006016905.tif 000002
【特許請求の範囲】
【請求項１】
四角形状をなす枠体と、該枠体内に張設された四角形状をなすクロス材と、からなるパネル装置であって、
前記枠体における互いに対向する少なくとも一対の枠部材の後面側に、前記クロス材における互いに対向する少なくとも一対の端辺部に設けられた支持杆を嵌合するための溝部が形成されるとともに、前記溝部を塞ぐための塞ぎ材が、前記溝部内に嵌合された前記支持杆を該溝部内に保持した状態で固着されていることを特徴とするパネル装置。
【請求項２】
前記少なくとも一対の枠部材の後面側には、該枠部材における後面側と前記枠体の内方を向く内面側とが開口する切欠部が形成されており、該切欠部内に前記溝部が形成されている請求項１に記載のパネル装置。
【請求項３】
前記塞ぎ材を前記切欠部に嵌合した状態で、前記塞ぎ材及び前記枠部材それぞれの後面並びに内面とが略面一になる請求項２に記載のパネル装置。
【請求項４】
前記クロス材が、前記枠部材と前記塞ぎ材との対向面間で挟持される請求項１ないし３のいずれかに記載のパネル装置。
【請求項５】
前記支持杆の長さが、前記クロス材の端辺部の長さよりも長寸となっている請求項１ないし４のいずれかに記載のパネル装置。
【請求項６】
前記パネル装置は、側面が開放された什器の側面に取り付けるための取付手段を備える請求項１ないし５のいずれかに記載のパネル装置。
【発明の詳細な説明】
【技術分野】
【０００１】
本発明は、四角形状をなす枠体と、該枠体内に張設された四角形状をなすクロス材と、からなるパネル装置に関する。
【背景技術】
【０００２】
従来のパネル装置は、フレームの対向面に嵌合溝を設け、この嵌合溝に、断面がC字形状をなす開口片を設けた抱持具を嵌合させるとともに、シートの端縁に形成した筒状片内に、その端縁に沿う向きの係合杆を挿嵌し、この係合杆の適所を抱持具の開口片に抱持させることで、シートをフレームに張設しているものがある（例えば、特許文献１参照）。
【０００３】
【特許文献１】特開２００３−１３８６７９号公報（第２頁、第１図）
【発明の開示】
【発明が解決しようとする課題】
【０００４】
しかしながら、上記特許文献１に記載のパネル装置にあっては、抱持具をフレーム（枠材）の嵌合溝に取り付け、シート（クロス材）の端縁の筒状片（袋綴部）に挿嵌した係合杆（支持杆）を、抱持具の開口片に抱持させることでシートをフレームに張設するため、抱持具と係合杆とがフレームから露出してしまい、パネル装置の見栄えが低下するとともに、抱持具などのシート取付用の部材を別途用意する必要があるといった問題を有していた。
【０００５】
本発明は、このような問題点に着目してなされたもので、見栄えよくクロス材を枠体に張設できるパネル装置を提供することを目的とする。
【課題を解決するための手段】
【０００６】
上記課題を解決するために、本発明の請求項１に記載のパネル装置は、四角形状をなす枠体と、該枠体内に張設された四角形状をなすクロス材と、からなるパネル装置であって、
前記枠体における互いに対向する少なくとも一対の枠部材の後面側に、前記クロス材における互いに対向する少なくとも一対の端辺部に設けられた支持杆を嵌合するための溝部が形成されるとともに、前記溝部を塞ぐための塞ぎ材が、前記溝部内に嵌合された前記支持杆を該溝部内に保持した状態で固着されていることを特徴としている。
この特徴によれば、枠部材の後面側に形成された溝部内に支持杆が嵌合された状態で該溝部を塞ぎ材によって塞ぐことで支持杆が溝部内に保持されるので、クロス材の端辺部及び該端辺部に設けられた支持杆が前面側に露出することがないとともに、溝部の後面側も塞ぎ材により隠蔽されるため、クロス材を見栄えよく枠体に張設することができるばかりか、クロス材を張設するための部材などを枠体に別途設ける必要がなく、パネル装置の部品点数が減少されるので、製造コストを低減できる。
【０００７】
本発明の請求項２に記載のパネル装置は、請求項１に記載のパネル装置であって、前記少なくとも一対の枠部材の後面側には、該枠部材における後面側と前記枠体の内方を向く内面側とが開口する切欠部が形成されており、該切欠部内に前記溝部が形成されていることを特徴としている。
この特徴によれば、枠部材の切欠部内に塞ぎ材が嵌合されるので、塞ぎ材がずれることなく枠部材に取り付けられるとともに、枠体の前面側や外面側に枠部材と塞ぎ材との継ぎ目などが形成されることがないので、枠体の美観が向上される。
【０００８】
本発明の請求項３に記載のパネル装置は、請求項２に記載のパネル装置であって、前記塞ぎ材を前記切欠部に嵌合した状態で、前記塞ぎ材及び前記枠部材それぞれの後面並びに内面とが略面一になることを特徴としている。
この特徴によれば、枠体の後面側や内面側に段差等が生じることがないので、枠体の美観が向上される。
【０００９】
本発明の請求項４に記載のパネル装置は、請求項１ないし３のいずれかに記載のパネル装置であって、前記クロス材が、前記枠部材と前記塞ぎ材との対向面間で挟持されることを特徴としている。
この特徴によれば、枠体に張設されたクロス材にしわがよったり、ずれたりするようなことがなくなる。
【００１０】
本発明の請求項５に記載のパネル装置は、請求項１ないし４のいずれかに記載のパネル装置であって、前記支持杆の長さが、前記クロス材の端辺部の長さよりも長寸となっていることを特徴としている。
この特徴によれば、支持杆の両端側がクロス材の端辺部の両端側から露出されるので、支持杆を溝部に嵌合させるときに支持杆の両端側を掴むことができるため、クロス材の張設作業が容易になる。
【００１１】
本発明の請求項６に記載のパネル装置は、請求項１ないし５のいずれかに記載のパネル装置であって、前記パネル装置は、側面が開放された什器の側面に取り付けるための取付手段を備えることを特徴としている。
この特徴によれば、側面が開放された什器の側面を隠蔽するパネルとしても利用することができる。
【発明を実施するための最良の形態】
【００１２】
本発明の実施例を以下に説明する。
【実施例】
【００１３】
本発明の実施例を図面に基づいて説明すると、先ず図1は、本発明の実施例におけるパネル装置を示す斜視図であり、図２（ａ）は、パネル装置の正面図であり、図２（ｂ）は、パネル装置を示すＡ−Ａ縦断面図であり、図３は、枠体にクロス材を取り付けるときの斜視図であり、図４（ａ）は、クロス材の取付前の状態を示すパネル装置の部分縦断面図であり、図４（ｂ）は、クロス材の取付後の状態を示すパネル装置の部分縦断面図であり、図５は、パネル装置を什器に取り付けるときの斜視図である。
【００１４】
図１の符号１は、販売店舗等で使用される商品陳列用の什器１であり、この什器１は、垂直に立設された２本の柱体２を有しており、これらの柱体２同士が互いに横フレーム材３によって連結されるとともに、柱体２は、什器１の四隅に設けられた縦フレーム材５にも横フレーム材４を介して連結されている。
【００１５】
図１に示すように、柱体２と縦フレーム材５との対向面には、軸受棒（図示略）を挿設するための連結穴６が複数設けられており、この軸受棒（図示略）を介して複数の棚板７が柱体２と縦フレーム材５との間に取り付けられるとともに、柱体２、２の間にはバックボード８が配置されている。このような多段式の棚板７の上面には各種商品等が載置できるようになっており、什器１の両柱体２には、本発明の適用されたパネル装置９が取り付けられている。
【００１６】
このパネル装置９について詳述すると、図２（ａ）に示すように、パネル装置９は、木材等の材質で形成された左右一対の縦枠部材１０と上下一対の横枠部材１１とが、四角形状に組み合わされて構成されてなる枠体１２と、この枠体１２の内方側に張設された四角形状をなす透光性を有する布地で構成されたクロス材１３と、からなる。
【００１７】
枠体１２に張設されたクロス材１３の左右端辺部と左右の縦枠部材１０との間には、所定幅の間隙が形成されている。更に、クロス材１３の上下の幅は、上下の各々の横枠部材１１に設けられた各々の溝部１６の上下の間隔よりも若干短寸に形成されている。
【００１８】
図２（ｂ）において左側をパネル装置９の前方とし、枠体１２の上下に配置されている上下一対の横枠部材１１は同一に構成されているため、上方に配置されている横枠部材１１ついて説明すると、枠体１２において互いに対向して配置される上下一対の横枠部材１１は、断面視で略Ｌ字形状をなすとともに、横枠部材１１の後面側には、横枠部材１１における後面側と、横枠部材１１における枠体１２の内方側を向く内面側とが開口するように凹状に切り欠かれてなる切欠部１４が形成されている。
【００１９】
図４（ａ）に示すように、切欠部１４内には、後方に向けて開放される１条の溝部１６が横枠部材１１の長手方向に沿って形成されている。この切欠部１４には、切欠部１４とほぼ同じ寸法をなす板状の塞ぎ材１５が嵌合されるようになっており、塞ぎ材１５をずれることなく横枠部材１１に取り付けられるようになっている。
【００２０】
また、塞ぎ材１５には、貫通孔１９が長手方向に向けて複数設けられており、この塞ぎ材１５の貫通孔１９にネジ２０を挿通させて、横枠部材１１に形成された孔部２１に螺着させることで、図３並びに図４（ｂ）に示すように、塞ぎ材１５を横枠部材１１に固定することができるようになっている。尚、塞ぎ材１５を横枠部材１１に固定させる手段としては、ネジ２０等の螺合部材に限ることなく、接着剤等を用いて固定させてもよい。
【００２１】
図３に示すように、クロス材１３の上下一対をなす本実施例における端辺部には、クロス材１３の端部を折り曲げて袋綴じ状に形成された袋綴部１７が設けられており、この袋綴部１７内には、棒状をなす支持杆１８が挿入されている。クロス材１３の袋綴部１７と、この袋綴部１７内に挿設された支持杆１８とは、横枠部材１１の後面側に形成された溝部１６に嵌合された状態で前記塞ぎ材１５により溝部１６が閉塞されることで、クロス材１３の上下の端辺部が横枠部材１１に保持されるようになっている。
【００２２】
また、図３に示すように、支持杆１８はクロス材１３の端辺部の左右横幅の長さよりも長寸となっており、支持杆１８の左右両端が、クロス材１３の袋綴部１７から露出されるので、袋綴部１７と支持杆１８とを溝部１６内に嵌合させる際に、支持杆１８の左右両端側を直接手で掴むことができる。これによりクロス材１３と干渉することなく、支持杆１８を溝部１６内に嵌合させることができるため、クロス材１３の張設作業が容易にできるようになっている。
【００２３】
次に、クロス材の枠体１２への取り付け方について詳述すると、図４（ａ）及び図４（ｂ）に示すように、袋綴部１７と支持杆１８とを溝部１６内に嵌合した状態で、塞ぎ材１５を横枠部材１１の切欠部１４に嵌合させ、溝部１６を塞ぎ材１５によって塞ぐことで、支持杆１８の溝部１６内からの逸脱が防止され、支持杆１８が溝部１６内に保持される。
【００２４】
また、図４（ｂ）に示すように、塞ぎ材１５が切欠部１４に固着されると、袋綴部１７と支持杆１８とが塞ぎ材１５によって後方から溝部１６内に押し込められ、前述したように、クロス材１３の上下の幅が、上下の横枠部材１１に設けられた各々の溝部１６の上下の間隔よりも若干短いことで、溝部１６内に押し込められた分だけクロス材１３にテンションが加わるため、塞ぎ材１５によって溝部１６を閉塞して該塞ぎ材１５を横枠部材１６に固着することで、クロス材１３を枠体１２に容易に張設することができる。
【００２５】
また、図４（ｂ）に示すように、塞ぎ材１５を切欠部１４に固着した状態で、クロス材１３における袋綴部１７が形成された端辺部近傍が、横枠部材１１と塞ぎ材１５との対向面間で挟持されるため、クロス材１３にしわがよったりずれたりすることなく、クロス材１３が枠体１２に張設される。
【００２６】
このように、クロス材１３の袋綴部１７と支持杆１８とを嵌合する溝部１６を横枠部材１１の後面側に形成することでクロス材１３を枠体１２に張設するため、クロス材１３の端辺部に設けられた袋綴部１７、及びこの袋綴部１７に設けられた支持杆１８が横枠部材１１の前面側に露出されることがないので、見栄えよくクロス材１３が横枠部材１１に張設される。
【００２７】
また、クロス材１３の取付用の部材などを枠体１２に別途に設けることなく、クロス材１３を枠体１２に張設できることで、パネル装置９の製造のための部品点数を極力減らすことができるため、パネル装置９の製造コストが低減される。
【００２８】
また、前述したように、横枠部材１１の切欠部１４が、横枠部材１１における後面側と、横枠部材１１における枠体１２の内方側を向く内面側とが開口されるように形成されていることによって、塞ぎ材１５が、切欠部１４内にずれることなく嵌合されて横枠部材１１に取り付けられる。そのため横枠部材１１の前面側や横枠部材１１の外方を向く外面側に、横枠部材１１と塞ぎ材１５との継ぎ目などが形成されることがないので、横枠部材１１の美観が向上される。
【００２９】
更に、塞ぎ材１５が横枠部材１１に形成された切欠部１４とほぼ同じ寸法となるように形成されていることにより、塞ぎ材１５を切欠部１４に嵌合させた状態で、塞ぎ材１５の後面と横枠部材１１の後面とが略面一になるとともに、塞ぎ材１５の内面と横枠部材１１の内面とが略面一になる。そのため枠体１２の後面側や内面側に段差等が生じることがなく、枠体１２の美観が向上される。
【００３０】
また、図５に示すように、什器１の側部に配置された柱体２は、前述したように、什器１の四隅に設けられた縦フレーム材５と横フレーム材４を介して連結され、什器１の側面が開放されており、パネル装置９が什器１の側面に取り付けられる。
【００３１】
パネル装置９の取り付け方について詳述すると、パネル装置９の上下に配置される横枠部材１１の略中央部には、取付手段としてのボルト２２を挿通させるための挿通孔２３が設けられるとともに、什器１の柱体２の上部と下部には、ネジ穴２４が設けられており、パネル装置９の横枠部材１１の挿通孔２３に挿通されたボルト２２が、什器１の柱体２に形成されたネジ穴２４に螺合されることで、パネル装置９が什器１の側面に着脱自在に取り付けられる。
【００３２】
パネル装置９が什器１と別体となって設けられ、パネル装置９がボルト２２によって什器１に取付可能となっていることで、クロス材１３を枠体１２に張設した後に、枠体１２をボルト２２を用いて容易に什器１に取り付けられるようになっている。そのため什器１の組立作業が簡素化されるとともに、クロス材１３が汚損及び破損した場合には、クロス材１３の交換作業が容易に行なえるようになる。
【００３３】
また、パネル装置９が什器１に取り付けられると、図１に示すように、枠体１２内に張設されているクロス材１３によって、什器１の柱体２が隠蔽されるようになり、什器１の美観が向上される。更に、パネル装置９のクロス材１３が透光性を有していることにより、外方からの光を棚板７に入射させることができるため、什器１の棚板７上に載置された各種商品の陳列効果を高めることができる。
【００３４】
以上、本発明の実施例を図面により説明してきたが、具体的な構成はこれら実施例に限られるものではなく、本発明の要旨を逸脱しない範囲における変更や追加があっても本発明に含まれる。
【００３５】
例えば、上記実施例では、四角形状をなす枠体１２の上下に配置されている横枠部材１１に溝部１６が形成され、この溝部１６を塞ぐための塞ぎ材１５が横枠部材１１に固着されることで、溝部１６内に配置されたクロス材１３の袋綴部１７と支持杆１８とが、横枠部材１１に取り付けられるようになっていたが、本発明はこれに限定されるものではなく、枠体１２の左右に配置されている縦枠部材１０に溝部を形成し、この溝部内に、クロス材１３の左右の端辺部に形成した袋綴部と、袋綴部に挿設した支持杆とを配置して、溝部を塞ぐための塞ぎ材を縦枠部材１０に固着し、クロス材１３を枠体１２の縦枠部材１０に張設するようにしてもよい。
【００３６】
また、上記実施例では、クロス材１３の上下一対の端辺部が横枠部材１１に取り付けられるようになっていたが、本発明はこれに限定されるものではなく、クロス材１３の上下左右の四方の端辺部を横枠部材１１と縦枠部材１０に取り付けることで、クロス材１３を枠体１２に張設するようにしてもよい。
【００３７】
更に、上記実施例では、横枠部材１１の後面側に切欠部１４を設け、この切欠部１４とほぼ同じ寸法をなす板状の塞ぎ材１５が切欠部１４に嵌合されることで、クロス材１３の袋綴部１７と支持杆１８とが、切欠部１４内に形成された溝部１６に取り付けられるようになっていたが、本発明はこれに限定されるものではなく、横枠部材１１に切欠部を設けずに、横枠部材１１の後面側に溝部を形成し、少なくともこの溝部を塞ぐことができる大きさの塞ぎ材を、横枠部材１１の後面側に固着させることで、クロス材１３を枠体１２に張設させるようにしてもよい。
【図面の簡単な説明】
【００３８】
【図１】本発明の実施例におけるパネル装置を示す斜視図である。
【図２】（ａ）は、パネル装置の正面図であり、（ｂ）は、パネル装置を示すＡ−Ａ縦断面図である。
【図３】枠体にクロス材を取り付けるときの斜視図である。
【図４】（ａ）は、クロス材の取付前の状態を示すパネル装置の部分縦断面図であり、（ｂ）は、クロス材の取付後の状態を示すパネル装置の部分縦断面図である。
【図５】パネル装置を什器に取り付けるときの斜視図である。
【符号の説明】
【００３９】
１                什器
２                柱体
３、４            横フレーム材
５                縦フレーム材
６                連結穴
７                棚板
８                バックボード
９                パネル装置
１０              縦枠部材
１１              横枠部材（枠部材）
１２              枠体
１３              クロス材
１４              切欠部
１５              塞ぎ材
１６              溝部
１７              袋綴部（端辺部）
１８              支持杆
１９              貫通孔
２０              ネジ
２１              孔部
２２              ボルト（取付手段）
２３              挿通孔（取付手段）
２４              ネジ穴
【図１】
2006016905.tif 000003
【図２】
2006016905.tif 000004
【図３】
2006016905.tif 000005
【図４】
2006016905.tif 000006
【図５】
2006016905.tif 000007